(57)【要約】【課題】色染した充填物が外層から透けて見え、新奇の感覚と趣味性を備えるマスクを提供する。【解決手段】マスクは、内層、外層及び内層と外層の間に充填した充填物をミシンで縫って構成される。該マスク内のフェザー、ダウン、合成繊維(例としてナイロンもしくはポリエステル)、天然繊維もしくは充填綿等充填物の色は透明もしくは半透明の外層から透けて見え、新奇的な視覚感と美観を備える。他に該マスクの充填物は一般マスクの使用機能の他に、新鮮さと趣味性によって使用者の購買意欲が高まる。【選択図】図１
0003159991.tif 000002
【実用新案登録請求の範囲】
【請求項１】
両側にそれぞれ弾性紐を設置したマスクにおいて、
該マスクは、内層、外層及び内層と外層の間に充填した充填物をミシン目で縫い、該前述の充填物はフェザー、ダウン、充填綿、合成繊維、天然繊維もしくはフェザーにダウン等を加えた成分のうちの一つ、もしくはその合成物から構成され、そのうち該前述の外層は透明もしくは半透明材質で、その中の該充填物の例としてフェザー、ダウン、充填綿、合成繊維、天然繊維は色染しその充填物の色彩が透明もしくは半透明の外層から見えることを特徴とするマスク。
【請求項２】
前記外層は、プリント処理、光沢処理もしくはフロック処理をしてもよく、該透明もしくは半透明の外層に模様を備えることを特徴とする請求項１記載のマスク。
【請求項３】
前記外層の内側には、他に透明もしくは半透明材質の防湿通気薄膜を貼り合わせてもよく、外層の密度が低い場合にダウン等比較的細かい纖維の充填物が外に出てしまうのを防止することを特徴とする請求項１記載のマスク。
【請求項４】
前記内層の内側には一層の不織布を連結してもよく、該内層の外側には他に一層の通気薄膜を連結してもよいことを特徴とする請求項１記載のマスク。
【請求項５】
前記充填物の例としてフェザー、ダウン、合成繊維、天然繊維もしくは充填綿は単一色染めもしくは一種類以上の色に染めることを特徴とする請求項１記載のマスク。
【請求項６】
前記外層は、合成繊維、熱可塑性ポリウレタン、ポリウレタンもしくはポリ塩化ビニルであることを特徴とする請求項１記載のマスク。
【請求項７】
前記内層は、布もしくは不織布であることを特徴とする請求項１記載のマスク。
【考案の詳細な説明】
【技術分野】
【０００１】
本考案は、充填物を色染したものが透明もしくは半透明の外層から透けて見える口鼻用のマスクに関するものである。
【背景技術】
【０００２】
従来の人々の生活の中に使用する口鼻用のマスクは、例えば、衛生マスク、防塵マスク、手術用マスクなどが知られているが、具体的には、花粉の吸引や、病原菌などの吸引又は放出を防止する目的で装着する従来の衛生マスクとしては、平面状のガーゼからなるマスク本体に耳掛け紐が付いたものが一般的であり、通常単純なマスク使用機能だけである。
そのため、最近では、マスク本体の内部にカップを入れたマスク（例えば、特許文献１参照）や、布地をひだ状に折って縫製した蛇腹状のマスク本体を使用時に外側へ膨らませるマスク（例えば、特許文献２参照）等、装着状態において鼻の下に空間を形成して呼吸が楽にできるマスクが使用されるようになってきている。
【先行技術文献】
【特許文献】
【０００３】
【特許文献１】特開平９−２７６４２４号公報
【特許文献２】特開２００１−３１４５２０号公報
【考案の概要】
【考案が解決しようとする課題】
【０００４】
従来のマスクは、時代の進歩に従って、単純なマスク使用機能、もしくは形状の変化は、既に流行から合わなくなっている。そのため、常に新鮮な商品を提案することに依って生活の多様化に合わせる必要がある。
解決しようとする問題点は、該マスク内の充填物を色染したものが透明もしくは半透明の外層から透けて見え、新奇の感覚と趣味性を備えるマスクを提供しようとするものである。
【課題を解決するための手段】
【０００５】
本考案は、内層、外層及び内層と外層の間に充填した充填物をミシンで縫って構成される。該マスク内のフェザー、ダウン、合成繊維(例としてナイロンもしくはポリエステル)、天然繊維もしくは充填綿等充填物の色が透明もしくは半透明の外層から透けて見え、新奇的な視覚感と美観を備え、他に該マスクの充填物は一般マスクの使用機能の他に、新鮮さと趣味性によって使用者の購買意欲が高まることを最も主要な特徴とする。
【０００６】
すなわち、請求項１の考案は、両側にそれぞれ弾性紐を設置したマスクにおいて、該マスクは、内層、外層及び内層と外層の間に充填した充填物をミシン目で縫い、該前述の充填物はフェザー(Feather)、ダウン(Down)、充填綿（Polyfill）、合成繊維、天然繊維もしくはフェザーにダウン等を加えた成分のうちの一つ、もしくはその合成物から構成され、そのうち該前述の外層は透明もしくは半透明材質で、その中の該充填物の例としてフェザー、ダウン、充填綿、合成繊維、天然繊維は色染しその充填物の色彩が透明もしくは半透明の外層から見えることを特徴とするマスクである。
【０００７】
請求項２の考案は、前記外層は、プリント(Printing)処理、光沢(Cire)処理もしくはフロック(Flocking)処理をしてもよく、該透明もしくは半透明の外層に模様を備えることを特徴とする請求項１記載のマスクである。
請求項３の考案は、前記外層の内側には、他に透明もしくは半透明材質の防湿通気薄膜 (Waterproof- Breathable Film)を貼り合わせてもよく、外層の密度が低い場合にダウン等比較的細かい纖維の充填物が外に出てしまうのを防止することを特徴とする請求項１記載のマスクである。
請求項４の考案は、前記内層の内側には一層の不織布を連結してもよく、該内層の外側には他に一層の通気薄膜を連結してもよいことを特徴とする請求項１記載のマスクである。
【０００８】
請求項５の考案は、前記充填物の例としてフェザー、ダウン、合成繊維、天然繊維もしくは充填綿は単一色染めもしくは一種類以上の色に染めることを特徴とする請求項１記載のマスクである。
請求項６の考案は、前記外層は、合成繊維、熱可塑性ポリウレタン(Thermoplastic Polyurethance)、ポリウレタン(Polyurethance)もしくはポリ塩化ビニル(Polyvinyl Chloride)であることを特徴とする請求項１記載のマスクである。
請求項７の考案は、前記内層は、布もしくは不織布であることを特徴とする請求項１記載のマスクである。
【考案の効果】
【０００９】
本考案のマスクによれば、充填物の色が透明もしくは半透明の外層から透けて見え、新奇の視覚感と美観効果を備えるという利点がある。
【図面の簡単な説明】
【００１０】
【図１】本考案の実施例の立体分解図である。
【図２】本考案の実施例の背面立体図である。
【図３】本考案の実施例の部分断面拡大指示図である。
【図４】本考案の実施例で防湿通気薄膜を備えた部分断面拡大指示図である。
【図５】本考案の実施例で、内層内側に不織布層を連結した部分断面拡大指示図である。
【図６】本考案の実施例で、内層内側に不織布層を連結し、且つい外側は通気薄膜を連結した部分断面拡大指示図である。
【図７】本考案の第二実施例の立体図である。
【考案を実施するための形態】
【００１１】
本考案者はこれらを鑑み、不断の研究と改良によって、遂に一種の口鼻用のマスクを考案した。
マスク内のフェザー、ダウン、天然繊維、合成繊維もしくは充填綿等充填物の色が透明もしくは半透明の外層から透けて見え、新奇的な視覚感と美観を備えるマスクを提供することを本考案の主な目的とする。
マスク内の充填物は一般のマスク使用機能の他に、それによって発生する新鮮さと趣味性が使用者の購買意欲を高める口鼻用のマスクを提供することを本考案の次の目的とする。
【実施例１】
【００１２】
本考案の実施例のマスクを、図に沿って説明する。
図１〜図３に示すとおり、本考案の口鼻用のマスク１は、ミシンで縫って必要な形状にしたもので、該マスク１の両側はミシン目で、それぞれ紐挿入槽１０(別に図２参照)を成形してそこに各々弾性紐３を通し、マスク１両側に通した弾性紐３によって口に当てて使用する。
【００１３】
該マスク１は、内層１２、外層１１及び内層１２と外層１１の間に充填する充填物から構成され、それをミシンで縫う。該前述の充填物は、フェザー(Feather)２１(別に図３参照)、ダウン(Down)２２、充填綿（Polyfill）(図未せず)、合成繊維(例としてナイロンもしくはポリエステル)(図未せず)、天然繊維もしくはフェザー２１にダウン２２等を加えた成分のうちの一つもしくはその合成物から選択する。また本実施例に示す充填物はフェザー２１とダウン２２を含み、そのうち該前述外層１１は透明もしくは半透明材質であり、且つ該充填物の例としてフェザー２１、ダウン２２は染色しており、そのため充填物の色彩が透明もしくは半透明の外層１１から透けて見えるようになっている。そのため、新奇の視覚感覚と美観を備える(図１の立体図参照)。他に購入する消費者にとって、新鮮な感覚と面白味が消費者を惹きつける。
【００１４】
更に前述の外層１１は、プリント(Printing)(図未せず)処理、光沢(Cire)(図未せず)処理、もしくはフロック(Flocking)(図未せず)処理を選択してもよく、該透明もしくは半透明の外層１１には模様を備え、前述の色付きのフェザー２１、ダウン２２等充填物と合わせると更に外観の美観が向上する。
【００１５】
他に図４に示すとおり、前述の外層１１の内側には透明もしくは半透明材質の防湿通気薄膜１１１ (Waterproof-Breathable Film)を貼り合わせ、且つ外層１１の密度を低くした(すなわち、繊維数を減らす)場合、ダウン２２等比較的繊維の細かい充填物が外に出てしまうのを防止する効果を備える。
【００１６】
また、図５に示すとおり、前述の内層１２は、その内側に一層の不織布１２２を連結してもよく、他に図６に示すとおり、更に内層１２外側に通気薄膜１２３を貼り合わせてもよい。
【００１７】
他に前述の充填物の、例としてフェザー２１、ダウン２２、合成繊維(例としてナイロンもしくはポリエステル)(図未せず)、天然繊維もしくは充填綿(図示せず)は、単一色もしくは一種類以上の色に染めてもよく、色の変化が増え、異なる視覚効果をもたらす。
【００１８】
更に、前述の外層１１は、合成繊維(例としてナイロンもしくはポリエステル)、熱可塑性ポリウレタン(Thermoplastic Polyurethane，略称TPU)、ポリウレタン(Polyurethane，略称PU)もしくはポリ塩化ビニル(Polyvinyl Chloride，略称PVC)とする。
他に、前述の内層１２は、不織布もしくは各種布、例として天然繊維布、合成繊維布、合成繊維と天然繊維を織り交ぜた布とする。
【実施例２】
【００１９】
図７に示すのは、本考案の第二実施例である。図７に示すマスク１の主な特徴と前述の第一実施例は同じであり、その色の充填物は例としてフェザー２１、ダウン２２で同じであり、透明もしくは半透明の外層１１から透けて見え、使用者は、マスク１の両側に設置した弾性紐３で着用する。本実施例と前述の第一実施例の違いは、本実施例で示すマスク１の中間部位にはミシン目を加え、全体の外観が立体感を備える。そのため、その形状と前述の第一実施例は異なる。
【００２０】
以上述べたように、本考案の実施例には下述の効果を備える。
(１)．マスク１内のフェザー２１、ダウン２２、合成繊維(例としてナイロンもしくはポリエステル)、天然繊維もしくは充填綿等充填物の色が透明もしくは半透明の外層１１から透けて見え、新奇の視覚感と美観効果を備える。
(２)．マスク１の充填物は一般のマスク使用機能の他に、新鮮さと趣味性が高まり、使用者を引きつけ、購買欲を高める。
なお、本考案の特徴を損なうものでなければ、上述した実施例に限定されるものでないことは勿論である。
【符号の説明】
【００２１】
１    マスク
１０    紐挿入槽
１１    外層
１１１    防湿通気薄膜
１２    内層
１２２    不織布
１２３    通気薄膜
２１    フェザー
２２    ダウン
３    弾性紐
【図１】
0003159991.tif 000003
【図２】
0003159991.tif 000004
【図３】
0003159991.tif 000005
【図４】
0003159991.tif 000006
【図５】
0003159991.tif 000007
【図６】
0003159991.tif 000008
【図７】
0003159991.tif 000009
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
両側にそれぞれ弾性紐を設置したマスクにおいて、
該マスクは、内層、外層及び内層と外層の間に充填した充填物をミシン目で縫い、該前述の充填物はフェザー、ダウン、充填綿、合成繊維、天然繊維もしくはフェザーにダウン等を加えた成分のうちの一つ、もしくは、それらを織り交ぜたものから構成され、そのうち該前記外層は透明もしくは半透明材質で、その中の該充填物の前記フェザー、ダウン、充填綿、合成繊維、天然繊維は色染して、その充填物の色彩が透明もしくは半透明の外層から見えるようにしたことを特徴とするマスク。
【請求項２】
前記外層には、プリント処理、光沢処理もしくはフロック処理のいずれかを施して、前記透明もしくは半透明の外層に模様を備えたことを特徴とする請求項１記載のマスク。
【請求項３】
前記外層の内側には、他に透明もしくは半透明材質の防湿通気薄膜を貼り合わせ、外層の密度が低い場合にダウン等の比較的細かい纖維の充填物が外に出てしまうのを防止することを特徴とする請求項１記載のマスク。
【請求項４】
前記内層の内側には一層の不織布を連結し、該内層の外側には他に一層の通気薄膜を連結することを特徴とする請求項１記載のマスク。
【請求項５】
前記充填物のフェザー、ダウン、合成繊維、天然繊維もしくは充填綿は、単一色染めもしくは一種類以上の色に染めることを特徴とする請求項１記載のマスク。
【請求項６】
前記外層は、合成繊維、熱可塑性ポリウレタン、ポリウレタンもしくはポリ塩化ビニルであることを特徴とする請求項１記載のマスク。
【請求項７】
前記内層は、布もしくは不織布であることを特徴とする請求項１記載のマスク。
【手続補正２】
【補正対象書類名】明細書
【補正対象項目名】０００６
【補正方法】変更
【補正の内容】
【０００６】
すなわち、請求項１の考案は、両側にそれぞれ弾性紐を設置したマスクにおいて、該マスクは、内層、外層及び内層と外層の間に充填した充填物をミシン目で縫い、該前述の充填物はフェザー、ダウン、充填綿、合成繊維、天然繊維もしくはフェザーにダウン等を加えた成分のうちの一つ、もしくは、それらを織り交ぜたものから構成され、そのうち該前記外層は透明もしくは半透明材質で、その中の該充填物の前記フェザー、ダウン、充填綿、合成繊維、天然繊維は色染して、その充填物の色彩が透明もしくは半透明の外層から見えるようにしたことを特徴とするマスクである。
【手続補正３】
【補正対象書類名】明細書
【補正対象項目名】０００７
【補正方法】変更
【補正の内容】
【０００７】
請求項２の考案は、前記外層に、プリント(Printing)処理、光沢(Cire)処理もしくはフロック(Flocking)処理のいずれかを施して、前記透明もしくは半透明の外層に模様を備えたことを特徴とする請求項１記載のマスクである。
請求項３の考案は、前記外層の内側には、他に透明もしくは半透明材質の防湿通気薄膜 (Waterproof- Breathable Film)を貼り合わせ、外層の密度が低い場合にダウン等比較的細かい纖維の充填物が外に出てしまうのを防止することを特徴とする請求項１記載のマスクである。
請求項４の考案は、前記内層の内側には一層の不織布を連結し、該内層の外側には他に一層の通気薄膜を連結することを特徴とする請求項１記載のマスクである。
【手続補正４】
【補正対象書類名】明細書
【補正対象項目名】０００８
【補正方法】変更
【補正の内容】
【０００８】
請求項５の考案は、前記充填物のフェザー、ダウン、合成繊維、天然繊維もしくは充填綿は、単一色染めもしくは一種類以上の色に染めることを特徴とする請求項１記載のマスクある。
請求項６の考案は、前記外層は、合成繊維、熱可塑性ポリウレタン(Thermoplastic Polyurethance)、ポリウレタン(Polyurethance)もしくはポリ塩化ビニル(Polyvinyl Chloride)であることを特徴とする請求項１記載のマスクである。
請求項７の考案は、前記内層は、布もしくは不織布であることを特徴とする請求項１記載のマスクである。